【手続補正書】
【提出日】平成23年3月30日(2011.3.30)
【手続補正１】
【補正対象書類名】特許請求の範囲
【補正対象項目名】全文
【補正方法】変更
【補正の内容】
【特許請求の範囲】
【請求項１】
（ａ）予め設定されたアルゴリズムによって損傷した聴覚細胞領域に相応する周波数帯域を判別する段階；
（ｂ）上記損傷した聴覚細胞領域に相応する周波数帯域をターゲット周波数帯域として決定する段階；及び
（ｃ）上記損傷した聴覚細胞領域を刺激するために、上記決定されたターゲット周波数帯域に所定の強度を有する音響信号を出力する段階を遂行するプログラムが記録されたコンピュータ判読可能な記録媒体。
【請求項２】
上記損傷した聴覚細胞領域が複数の場合、上記（ｂ）段階は損傷した聴覚細胞領域のうち隣接した聴覚細胞領域に相応する周波数帯域範囲をターゲット周波数帯域として決定する請求項１に記載の記録媒体。
【請求項３】
上記ターゲット周波数帯域が複数に決定される場合、上記（ｃ）段階は損傷程度の高い聴覚細胞領域に相応するターゲット周波数帯域順またはランダムに上記音響信号を出力する請求項１に記載の記録媒体。
【請求項４】
上記ターゲット周波数帯域が複数に決定される場合、上記（ｃ）段階は上記複数のターゲット周波数帯域の音響信号を同時に出力する請求項１に記載の記録媒体。
【請求項５】
上記音響信号は、振幅変調音、周波数変調音、パルス音、持続音、振幅変調狭帯域雑音のうち少なくとも一つまたはこれらの組合わせからなる請求項１に記載の記録媒体。
【請求項６】
上記（ａ）段階は、
１／ｋオクターブの解像度に分割された聴覚細胞領域イメージを含む蝸牛模型インターフェースを出力する段階−ｋは２以上の自然数−；及び
使用者が上記聴覚細胞領域イメージのうち少なくとも一つを選択する場合、上記選択された聴覚細胞領域イメージに相応する周波数帯域の信号音を出力し、上記信号音に対する使用者の応答情報を用いて聴力しきい値を決定する段階を遂行する請求項１に記載の記録媒体。
【請求項７】
上記ｋは、３〜２４のうちの一つである請求項６に記載の記録媒体。
【請求項８】
上記（ｂ）段階は、上記聴力しきい値が予め設定された基準値以上になる聴覚細胞領域の周波数帯域をターゲット周波数帯域として決定し、
（ｄ）上記決定されたターゲット周波数帯域に相応する上記聴覚細胞領域イメージを視覚的に識別することができる形態で出力する段階をさらに遂行する請求項６に記載の記録媒体。
【請求項９】
上記（ｃ）段階は、上記聴力しきい値より３〜２０デシベルだけ大きい強度で上記音響信号を出力する請求項８に記載の記録媒体。
【請求項１０】
上記音響信号が振幅変調音である場合、上記音響信号の周波数帯域に相応する聴覚細胞領域イメージを上記振幅変調音の振幅変化程度を視覚的に識別することができる形態で出力する段階をさらに遂行する請求項６に記載の記録媒体。
【請求項１１】
上記音響信号が周波数変調音である場合、上記周波数変調音の周波数帯域に相応する聴覚細胞領域イメージを視覚的に識別することができる形態で出力する段階をさらに遂行する請求項６に記載の記録媒体。
【請求項１２】
上記周波数変調音は、１／３オクターブ以内の解像度を有する請求項１１に記載の記録媒体。
【請求項１３】
上記音響信号が持続音またはパルス音である場合、上記音響信号の周波数帯域に相応する聴覚細胞領域イメージを現在出力される音響信号が持続音またはパルス音のうち少なくとも一つであることを識別することができる形態で出力する段階をさらに遂行する請求項６に記載の記録媒体。
【請求項１４】
上記聴覚細胞領域イメージは、聴力の改善程度によって他の色相または大きさに出力される請求項６に記載の記録媒体。
【請求項１５】
１／ｋオクターブ解像度に分割された聴覚細胞領域イメージを含む蝸牛模型インターフェースを出力する段階−ｋは２以上の自然数−；及び
上記分割された聴覚細胞領域イメージのうち選択された少なくとも一つに相応する周波数帯域の信号音を出力する段階；及び
上記信号音に対する使用者の応答の可否を通じて損傷した聴覚細胞領域を判別する段階を遂行するプログラムが記録されたコンピュータ判読可能な記録媒体。
【請求項１６】
ネットワークを介してクライアントと連結されたサーバから聴覚細胞刺激サービスを提供する方法であって、
（ａ）上記クライアントに聴力診断のためのアプリケーションを転送する段階−上記アプリケーションは１／ｋオクターブ解像度に分割された聴覚細胞領域イメージを含む蝸牛模型インターフェースを出力する−；
（ｂ）上記分割された聴覚細胞領域イメージのうち選択された少なくとも一つに相応する周波数帯域の信号音に対する使用者の応答情報を受信する段階；
（ｃ）上記応答情報を用いて損傷した聴覚細胞領域に相応する周波数帯域をターゲット周波数帯域として決定する段階；及び
（ｄ）所定の強度を有する上記ターゲット周波数帯域の音響信号を上記クライアントに転送する段階を含む音響刺激を用いた聴覚細胞刺激方法。
【請求項１７】
所定の信号音に対する使用者の応答情報を用いて聴覚細胞領域に対する聴力しきい値を測定する聴力診断部；
上記測定された聴力しきい値を用いて損傷した聴覚細胞領域に相応する周波数帯域をターゲット周波数帯域として決定する刺激部位判別部；及び
上記決定されたターゲット周波数帯域に予め設定された強度を有する音響信号を出力する刺激治療部を含む音響刺激を用いた聴覚細胞刺激装置。
【請求項１８】
上記聴力診断部は、
１／ｋオクターブの解像度に分割された聴覚細胞領域イメージを含む蝸牛模型インターフェースを出力するインターフェース出力部−ｋは２以上の自然数−；及び
上記信号音に対する使用者の応答情報を聴力しきい値として格納する応答情報格納部を含む請求項１７に記載の聴覚細胞刺激装置。
【請求項１９】
上記刺激部位治療部は、上記分割された聴覚細胞領域イメージのうち選択された一つに相応する周波数帯域の聴力しきい値が予め設定された基準値以上になる聴覚細胞領域の周波数帯域をターゲット周波数帯域として決定する請求項１８に記載の聴覚細胞刺激装置。
【請求項２０】
上記刺激治療部は、上記ターゲット周波数帯域の音響信号強度、類型及び順序のうち少なくとも一つを決定する請求項１７に記載の聴覚細胞刺激装置。
【請求項２１】
上記ターゲット周波数帯域の音響信号は、振幅変調音、周波数変調音、パルス音、持続音、振幅変調狭帯域雑音のうち少なくとも一つまたはこれらの組合わせで決定され、上記強度は、上記聴力しきい値より３〜２０デシベルだけ大きく決定される請求項２０に記載の聴覚細胞刺激装置。
【手続補正２】
【補正対象書類名】明細書
【補正対象項目名】発明の名称
【補正方法】変更
【補正の内容】
【発明の名称】音響信号を用いた聴覚細胞刺激方法を遂行するプログラムが記録されたコンピュータ判読可能な記録媒体及び聴覚細胞刺激装置
【手続補正３】
【補正対象書類名】明細書
【補正対象項目名】０００１
【補正方法】変更
【補正の内容】
【０００１】
本発明は、音響信号を用いた聴覚細胞刺激方法を遂行するプログラムが記録されたコンピュータ判読可能な記録媒体及び聴覚細胞刺激装置に関するものであり、より詳細には、使用者の聴力を正確に診断し、診断結果によって聴力を改善できる方法を遂行するプログラムが記録されたコンピュータ判読可能な記録媒体及び聴覚細胞刺激装置に関するものである。
【手続補正４】
【補正対象書類名】明細書
【補正対象項目名】００１４
【補正方法】変更
【補正の内容】
【００１４】
本発明は、上記のような従来技術の問題を解決するために、難聴疾患を改善することができる音響信号を用いた聴覚細胞刺激方法を遂行するプログラムが記録されたコンピュータ判読可能な記録媒体及び聴覚細胞刺激装置を提案することを目的とする。
【手続補正５】
【補正対象書類名】明細書
【補正対象項目名】００１５
【補正方法】変更
【補正の内容】
【００１５】
本発明の他の目的は、使用者の聴力をより正確に診断することができる音響信号を用いた聴覚細胞刺激方法を遂行するプログラムが記録されたコンピュータ判読可能な記録媒体及び聴覚細胞刺激装置を提供するものである。
【手続補正６】
【補正対象書類名】明細書
【補正対象項目名】００１６
【補正方法】変更
【補正の内容】
【００１６】
本発明の他の目的は、遠隔地からも使用者の聴力を正確に診断し、また難聴疾患改善のためのサービスを提供することができる音響信号を用いた聴覚細胞刺激方法を遂行するプログラムが記録されたコンピュータ判読可能な記録媒体及び聴覚細胞刺激装置を提供するものである。
【手続補正７】
【補正対象書類名】明細書
【補正対象項目名】００１７
【補正方法】変更
【補正の内容】
【００１７】
上記の目的を達成するために本発明の望ましい一実施例によれば、（ａ）予め設定されたアルゴリズムによって損傷した聴覚細胞領域に相応する周波数帯域を判別する段階；（ｂ）上記損傷した聴覚細胞領域に相応する周波数帯域をターゲット周波数帯域として決定する段階；及び（ｃ）上記損傷した聴覚細胞領域を刺激するために、上記決定されたターゲット周波数帯域に所定の強度を有する音響信号を出力する段階を遂行するプログラムが記録されたコンピュータ判読可能な記録媒体が提供される。
【手続補正８】
【補正対象書類名】明細書
【補正対象項目名】００１８
【補正方法】変更
【補正の内容】
【００１８】
本発明の他の側面によれば、１／ｋオクターブ解像度に分割された聴覚細胞領域イメージを含む蝸牛模型インターフェースを出力する段階−ｋは２以上の自然数−；上記分割された聴覚細胞領域イメージのうち選択された少なくとも一つに相応する周波数帯域の信号音を出力する段階；及び上記信号音に対する使用者の応答の可否を通じて損傷した聴覚細胞領域を判別する段階を遂行するプログラムが記録されたコンピュータ判読可能な記録媒体が提供される。
【手続補正９】
【補正対象書類名】明細書
【補正対象項目名】００２０
【補正方法】削除
【補正の内容】